(57)【要約】【課題】簡単な構造で容易にベルトを締めることができ、装飾性を高めることができるベルト用バックルを提供する。【解決手段】バックル本体１１が、矩形状の金属板を、中央部２１で二つに折り曲げて形成されている。バックル本体１１は、中央部２１の両側に互いに対向するよう配置された１対の挟持部２２を有している。バックル本体１１は、各挟持部２２の間隔を変更可能な弾力性を有している。留金１２が、各挟持部２２の間にベルト１を挟んで固定可能に、各挟持部２２の間隔を狭めて留めるようバックル本体１１に設けられている。【選択図】図１
0003126798.tif 000002
【実用新案登録請求の範囲】
【請求項１】
バックル本体と留金とを有し、
前記バックル本体は板状の部材を二つに折り曲げて成り、前記部材の内側に互いに対向する１対の挟持部を有し、各挟持部の間隔を変更可能な弾力性を有し、
前記留金は各挟持部の間隔を狭めて各挟持部の間にベルトを挟んだ状態で固定可能に前記バックル本体に設けられていることを、
特徴とするベルト用バックル。
【請求項２】
スライド板を有し、
前記バックル本体は一方の挟持部の外側面に、前記外側面に沿って互いに平行に設けられた１対の細長いガイド部を有し、各ガイド部は互いに対向する位置に長さ方向に沿って伸びて少なくとも一端が開放したガイド溝を有し、
前記スライド板は前記ガイド溝に沿ってスライドして各ガイド部の間の前記外側面に取付け可能であることを、
特徴とする請求項１記載のベルト用バックル。
【請求項３】
１対の挟持板と固定部材と装飾板とを有し、
各挟持板は所定の回転軸を中心として回転して互いに開閉可能に設けられ、
前記固定部材は各挟持板の間にベルトを挟んだ状態で各挟持板を固定可能に各挟持板の少なくとも一方に設けられ、
前記装飾板は１枚または複数枚から成り、各挟持板のベルトを挟む側の反対側で各挟持板に重なるよう前記回転軸を中心として回転可能に設けられていることを、
特徴とするベルト用バックル。
【考案の詳細な説明】
【技術分野】
【０００１】
本考案は、ベルト用バックルに関する。
【背景技術】
【０００２】
従来の一般的なベルト用のバックルは、ベルトの一端に固定され、ベルトの他端を通すための挿入口を有しており、挿入口にベルトの他端を通し、ベルトの他端に設けられた穴にピンを刺して留めるものや、ベルトの他端をカムやコロなどで圧迫して留めるものなどがある（例えば、特許文献１参照）。
【０００３】
【特許文献１】特開２００４−３４４１７８号公報
【考案の開示】
【考案が解決しようとする課題】
【０００４】
しかしながら、一般的なベルト用のバックルは、ベルトの一端への固定構造や、ベルトの他端を留める構造が複雑であるという課題があった。また、そのような複雑な構造のため、装飾を施すにも限界があるという課題があった。
【０００５】
本考案は、このような課題に着目してなされたもので、簡単な構造で容易にベルトを締めることができ、装飾性を高めることができるベルト用バックルを提供することを目的とする。
【課題を解決するための手段】
【０００６】
上記目的を達成するために、第１の本考案に係るベルト用バックルは、バックル本体と留金とを有し、前記バックル本体は板状の部材を二つに折り曲げて成り、前記部材の内側に互いに対向する１対の挟持部を有し、各挟持部の間隔を変更可能な弾力性を有し、前記留金は各挟持部の間隔を狭めて各挟持部の間にベルトを挟んだ状態で固定可能に前記バックル本体に設けられていることを、特徴とする。
【０００７】
第１の本考案に係るベルト用バックルは、ベルトの一端に固定されず、ベルトと分離されているのが好ましい。ベルトを締めるとき、１対の挟持部の間にベルトの両端を挟み、各挟持部の間隔を狭めて留金を留めることにより、ベルトを固定することができる。このように、板状の部材を中央部で二つに折り曲げて形成されたバックル本体および留金による簡単な構造で、容易にベルトを締めることができる。なお、ベルトの一端に固定されていてもよく、この場合、ベルトの他端を各挟持部の間に挟んで固定することができる。
【０００８】
第１の本考案に係るベルト用バックルは、ベルトを締めるときに外側に配置される挟持部の外側面に、装飾を有していることが好ましい。装飾は、レリーフ状の凹凸や貼り付けられたシールなど、いかなるものであってもよい。様々な装飾を自在に施すことができるため、装飾性を高めることができる。また、ベルトを傷つけるのを防ぐために、各挟持部の内側面に布やゴムなどから成るクッション材を有していてもよい。バックル本体にコイン入れなどの収納部を有していてもよい。
【０００９】
第１の本考案に係るベルト用バックルは、スライド板を有し、前記バックル本体は一方の挟持部の外側面に、前記外側面に沿って互いに平行に設けられた１対の細長いガイド部を有し、各ガイド部は互いに対向する位置に長さ方向に沿って伸びて少なくとも一端が開放したガイド溝を有し、前記スライド板は前記ガイド溝に沿ってスライドして各ガイド部の間の前記外側面に取付け可能であってもよい。この場合、表面に異なる装飾を有する複数のスライド板を準備しておくことにより、スライド板を取り替えて様々な装飾を楽しむことができる。また、ファションや気分などに合わせてコーディネートすることもできる。
【００１０】
第２の本考案に係るベルト用バックルは、１対の挟持板と固定部材と装飾板とを有し、各挟持板は所定の回転軸を中心として回転して互いに開閉可能に設けられ、前記固定部材は各挟持板の間にベルトを挟んだ状態で各挟持板を固定可能に各挟持板の少なくとも一方に設けられ、前記装飾板は１枚または複数枚から成り、各挟持板のベルトを挟む側の反対側で各挟持板に重なるよう前記回転軸を中心として回転可能に設けられていることを、特徴とする。
【００１１】
第２の本考案に係るベルト用バックルは、ベルトの一端に固定されず、ベルトと分離されているのが好ましい。ベルトを締めるとき、１対の挟持板の間にベルトの両端を挟み、固定部材により一方の挟持板に対して他方の挟持板を固定することにより、ベルトを固定することができる。このように、１対の挟持板および固定部材による簡単な構造で、容易にベルトを締めることができる。なお、ベルトの一端に固定されていてもよく、この場合、ベルトの他端を各挟持板の間に挟んで固定することができる。
【００１２】
第２の本考案に係るベルト用バックルは、装飾板を回転させて外側または内側の挟持板の外側面に沿って配置させて、ベルトを締める。このとき、外側の挟持板の外側面、および、外側の挟持板の外側面に沿って装飾板を配置したときの装飾板の外側面に、異なる装飾を有していることが好ましい。装飾は、レリーフ状の凹凸や貼り付けられたシールなど、いかなるものであってもよい。装飾板を回転させることにより、様々な装飾を楽しむことができ、装飾性を高めることができる。また、ファションや気分などに合わせてコーディネートすることもできる。
【００１３】
各挟持板の外側面、および装飾板の両面に、異なる装飾を有していてもよい。この場合、各挟持板を内側と外側とを入れ替えるよう裏返して使用することができ、装飾の種類を２倍に増やすことができる。また、ベルトを傷つけるのを防ぐために、各挟持板の内側面に布やゴムなどから成るクッション材を有していてもよい。コイン入れなどの収納部を有していてもよい。
【考案の効果】
【００１４】
本考案によれば、簡単な構造で容易にベルトを締めることができ、装飾性を高めることができるベルト用バックルを提供することができる。
【考案を実施するための最良の形態】
【００１５】
以下、図面に基づき本考案の実施の形態について説明する。
図１および図２は、本考案の第１の実施の形態のベルト用バックルを示している。
図１に示すように、ベルト用バックル１０は、バックル本体１１と留金１２とを有している。
【００１６】
バックル本体１１は、矩形状の金属板を、中央部２１で二つに折り曲げて形成されている。バックル本体１１は、中央部２１の両側に１対の挟持部２２を有し、両端に縁部２３を有している。各挟持部２２は、所定の間隔を開けて互いに対向するよう配置され、外側に向かってやや膨らんだ形状を成している。各挟持部２２は、内側面に貼り付けられたゴム製のクッション材（図示せず）を有している。各挟持部２２は、それぞれの外側面に異なる装飾（図示せず）を有している。各縁部２３は、触ってもけがをしないよう、バックル本体１１の両端を外側に丸めるようにして形成されている。バックル本体１１は、各縁部２３を開閉して各挟持部２２の間隔を変更可能な弾力性を有している。
【００１７】
留金１２は、がま口用の口金から成り、バックル本体１１の各縁部２３の中央に取り付けられている。留金１２は、各縁部２３を開閉可能であり、各挟持部２２の間隔を狭めて留めるようになっている。ベルト用バックル１０は、留金１２を留めることにより、各挟持部２２の間にベルト１を挟んで固定可能に構成されている。
【００１８】
次に、作用について説明する。
ベルト用バックル１０は、ベルト１の一端に固定されず、ベルト１と分離されている。ベルト１を締めるとき、１対の挟持部２２の間にベルトの両端を挟み、各挟持部２２の間隔を狭めて留金１２を留めることにより、ベルト１を固定することができる。このように、金属板を中央部２１で二つに折り曲げて形成されたバックル本体１１および留金１２による簡単な構造で、容易にベルト１を締めることができる。
【００１９】
各挟持部２２の外側面に様々な装飾を自在に施すことができるため、装飾性を高めることができる。各挟持部２２が、それぞれの外側面に異なる装飾を有しているため、各挟持部２２の内側と外側とを入れ替えるよう裏返して使用することができ、２種類の装飾を楽しむことができる。装飾は、レリーフ状の凹凸や貼り付けられたシールなど、いかなるものであってもよい。また、クッション材により、ベルト１を傷つけるのを防ぐことができる。
【００２０】
なお、図２に示すように、ベルト用バックル１０は、一方の挟持部２２の外側面に、その外側面の両側縁に沿って互いに平行に設けられた１対のガイド部３１を有し、各ガイド部３１の互いに対向する位置に両端が開放するよう長さ方向に沿って設けられたガイド溝３２を有し、そのガイド溝３２に沿ってスライドする複数のスライド板３３を有していてもよい。各スライド板３３は、矩形状で、両面に異なる装飾を有している。各スライド板３３は、ガイド溝３２から下方に抜けないよう、上縁の左右両側に突出する突出部３４を有している。各スライド板３３は、各突出部３４が各ガイド部３１の上部に引っ掛かり、各ガイド部３１の間の外側面を被覆可能になっている。これにより、スライド板３３を取り替えて様々な装飾を楽しむことができる。また、ファションや気分などに合わせてコーディネートすることもできる。
【００２１】
図３は、本考案の第２の実施の形態のベルト用バックルを示している。
図３に示すように、ベルト用バックル５０は、１対の挟持板５１と固定部材５２と２枚の装飾板５３とを有している。
【００２２】
各挟持板５１は、鉄製で、ほぼ矩形状の同じ形を成している。各挟持板５１は、一方の側縁に沿って設けられた軸用円筒部６１を二つ有している。各挟持板５１は、触ってもけがをしないよう、他方の側縁を外側に丸めるようにして形成された縁部６２を有している。各挟持板５１は、長さ方向に沿って中央部６３がやや膨らんだ形状を成している。各挟持板５１は、中央部６３の膨らみの外側面に、異なる装飾（図示せず）を有している。また、各挟持板５１は、縁部６２と中央部６３の膨らみとの間に、長さ方向に沿った平坦部６４を有している。各挟持板５１は、中央部６３の膨らみが外側になり、それぞれの縁部６２同士が向き合うよう設けられている。各挟持板５１は、それぞれの軸用円筒部６１が重ならないよう配置され、全ての軸用円筒部６１の内部に軸部材６５が挿入されている。これにより、各挟持板５１は、軸部材６５を中心として回転して互いに縁部６２を開閉可能に設けられている。各挟持板５１は、縁部６２を閉じたとき、平坦部６４の内側面が互いに隙間なく面するようになっている。
【００２３】
固定部材５２は、細長い矩形板状の磁石から成り、一方の挟持板５１の平坦部６４の内側面に貼り付けられている。これにより、固定部材５２は、磁石の磁力により、一方の挟持板５１に対して他方の挟持板５１を着脱可能に固定するようになっている。また、ベルト用バックル５０は、固定部材５２により、各挟持板５１の間にベルト１を挟んで固定可能に構成されている。
【００２４】
各装飾板５３は、薄い矩形板状を成し、両面に曲がる柔軟性を有している。各装飾板５３は、一方の側縁に、中心軸が各装飾板５３の長さ方向に沿うよう設けられた軸用円筒部６６を有している。各装飾板５３は、両面に異なる装飾を有している。各装飾板５３は、他方の側縁に沿って、薄い鉄板（図示せず）が埋め込まれている。各装飾板５３は、軸用円筒部６６が各挟持板５１の軸用円筒部６１と重ならないよう配置され、軸用円筒部６６の内部に軸部材６５が挿入されている。これにより、各装飾板５３は、各挟持板５１の外側面の間で、軸部材６５を中心として回転可能になっている。各装飾板５３は、その柔軟性により各挟持板５１の外側面、すなわち、ベルトを挟む側の反対側に沿って各挟持板５１に重なるよう配置可能である。各装飾板５３は、埋め込まれた鉄板が固定部材５２の磁力に引きつけられて固定されるようになっている。
【００２５】
次に、作用について説明する。
ベルト用バックル５０は、ベルト１の一端に固定されず、ベルト１と分離されている。ベルト１を締めるとき、１対の挟持板５１の間にベルト１の両端を挟み、固定部材５２により一方の挟持板５１に対して他方の挟持板５１を固定することにより、ベルト１を固定することができる。このように、１対の挟持板５１および固定部材５２による簡単な構造で、容易にベルト１を締めることができる。
【００２６】
ベルト用バックル５０は、各装飾板５３を回転させて外側または内側の挟持板５１の外側面に沿って配置させて、ベルト１を締める。各挟持板５１の外側面、および装飾板５３の両面に異なる装飾を有しているため、装飾板５３を回転させて、様々な装飾を楽しむことができ、装飾性を高めることができる。また、ファションや気分などに合わせてコーディネートすることもできる。各挟持板５１を内側と外側とを入れ替えるよう裏返して使用することもできる。装飾は、レリーフ状の凹凸や貼り付けられたシールなど、いかなるものであってもよい。
【図面の簡単な説明】
【００２７】
【図１】本考案の第１の実施の形態のベルト用バックルの使用状態を示す斜視図である。
【図２】図１に示すベルト用バックルの変形例を示す斜視図である。
【図３】本考案の第２の実施の形態のベルト用バックルの使用状態を示す斜視図である。
【符号の説明】
【００２８】
１    ベルト
１０  ベルト用バックル
１１  バックル本体
１２  留金
２１  中央部
２２  挟持部
２３  縁部
３１  ガイド部
３２  ガイド溝
３３  スライド板
３４  突出部
【図１】
0003126798.tif 000003
【図２】
0003126798.tif 000004
【図３】
0003126798.tif 000005